【事件の表示】
　特願２０１８−　　８３４１「端末装置、及びプログラム」拒絶査定不服審判事件〔平成３０年　６月　７日出願公開、特開２０１８−　８８２６８、請求項の数（４）〕について、次のとおり審決する。
【結　論】
　原査定を取り消す。
　本願の発明は、特許すべきものとする。
【理　由】
第１　手続の経緯
　本願は、平成２８年６月３０日に出願された特願２０１６−１３０７８５号の一部を、平成２９年１０月６日に新たな出願とした特願２０１７−１９５８９７号の一部を、平成３０年１月２２日に新たな出願としたものであって、その手続の経緯は以下のとおりである。
　平成３０年　１月３１日　　：手続補正書の提出
　令和　２年　１月３０日付け：拒絶理由通知
　令和　２年　４月　１日　　：意見書、手続補正書の提出
　令和　２年　４月２７日付け：拒絶査定（原査定）
　令和　２年　８月　６日　　：審判請求書の提出
第２　原査定の概要
　原査定（令和２年４月２７日付け拒絶査定）の概要は次のとおりである。
　本願請求項１ないし４に係る発明は、以下の引用文献１ないし５に記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
１　特許第５８７６６０７号公報
２　特開２０１４−１４２８８２号公報（周知技術を示す文献）
３　特開２０１５−０４９７２１号公報（周知技術を示す文献）
４　国際公開第２００９／０９３４３５号（周知技術を示す文献）
５　特開２０１５−１５１０５９号公報（周知技術を示す文献）
［当審注］
　上記引用文献
５
６
第３　本願発明
　本願請求項１ないし４に係る発明（以下、それぞれ「本願発明１」ないし「本願発明４」という。）は、令和２年４月１日に提出された手続補正書に係る手続補正で補正された特許請求の範囲の請求項１ないし４に記載された事項により特定される発明であり、このうち本願発明１は以下のとおりの発明である。
「　両眼視差を利用した立体視画像として、仮想空間内の仮想視点からの視界を表す視界画像を表示可能なヘッドマウントディスプレイシステムの少なくとも一部として利用可能な端末装置であって、
　前記端末装置の方向に関する情報を検出する検出部と、
　ユーザからの選択の有無を判定する判定領域を有する選択オブジェクトを、前記仮想空間内に配置するオブジェクト配置部と、
　前記検出部の検出結果に応じて前記仮想空間内の前記仮想視点からの視界方向に配置されている前記選択オブジェクトを表示部に表示させる表示制御部と、
　を備え、
　前記選択オブジェクトの選択の有無を決定するための閾値としての判定時間が予め設定されており、
　前記オブジェクト配置部は、
　前記仮想視点からの視線方向に対応する視線位置と前記選択オブジェクトの判定領域とが前記視線方向において重ならない位置関係から重なる位置関係になったときの前記視線位置の移動速度が所定値以上の場合には、当該位置関係になってから前記判定時間未満の所定の時間経過した後に前記選択オブジェクトの判定領域を変更し、前記視線位置の移動速度が前記所定値未満の場合には、当該位置関係になってから前記所定の時間が経過しなくとも前記選択オブジェクトの判定領域を変更する、
　端末装置。」
　なお、本願発明２及び３は本願発明１を減縮した発明であり、本願発明４は、本願発明１ないし３に対応する「プログラム」の発明であり、本願発明１ないし３とカテゴリ表現が異なるだけの発明である。
第４　引用文献、引用発明等
１　引用文献１について
（１）引用文献１記載事項
　原査定の拒絶の理由に引用された上記引用文献１には、図面とともに次の事項が記載されている。
「【００３３】
　以下、図２〜９を用いて、ウィジェット２０１の仮想空間上での動きを説明する。この説明は、
注視点は、視野の中央に固定され、カーソル２０２も画面の中央に固定されつつ表示されていることを前提とし
「【００７８】
　図１３は、
ウィジェット２０１を表示するためのシステム１３００
　図１３に示すように、
システム１３００は、ヘッドマウント・ディスプレイ（ＨＭＤ）１３１０、制御回路部１３２０、ポジション・トラッキング・カメラ（位置センサ）１３３０、並びに外部コントローラ１３４０を備え
【００７９】
　
ヘッドマウント・ディスプレイ（ＨＭＤ）１３１０は、ディスプレイ１３１２およびセンサ１３１４を具備する
ディスプレイ１３１２は、ユーザの視野を完全に覆うよう構成された非透過型の表示装置であり
非透過型のヘッドマウント・ディスプレイ（ＨＭＤ）１３１０を装着したユーザは、外界の視野を全て失うため、制御回路部１３２０において実行されるアプリケーションにより表示される仮想空間に完全に没入する表示態様となる
【００８０】
　
ヘッドマウント・ディスプレイ（ＨＭＤ）１３１０が具備するセンサ１３１４は、ディスプレイ１３１２近辺に固定され
センサ１３１４は、地磁気センサ、加速度センサ、および／または傾き（角速度、ジャイロ）センサを含み、これらの１つ以上を通じて、ユーザの頭部に装着されたヘッドマウント・ディスプレイ（ＨＭＤ）１３１０（ディスプレイ１３１２）の各種動きを検知することができ
「【００８３】
　代替として、
制御回路部１３２０は、オブジェクト操作装置として、ヘッドマウント・ディスプレイ（ＨＭＤ）１３１０内部に搭載されてもよい
「【００８７】
　図１６のブロック図は、本発明の実施の形態による、３次元仮想空間内のオブジェクト操作を実装するために、制御回路部１３２０を中心にコンポーネントの主要機能の構成を示したものである。制御回路部１３２０では、主に、センサ１３１４／ポジション・トラッキング・カメラ（位置センサ）１３３０および外部コントローラ１３４０からの入力を受け、該入力を処理してディスプレイ１３１２への出力を行う。
制御回路部１３２０は、主に、動き検知部１６１０、注視点移動部１６２１および視野画像生成部１６３０、並びにウィジェット制御部１６４０を含み、各種情報を処理する
【００８８】
　
動き検知部１６１０では、センサ１３１４／ポジション・トラッキング・カメラ（位置センサ）１３３０からの動き情報の入力に基づいて、ユーザの頭部に装着されたヘッドマウント・ディスプレイ（ＨＭＤ）１３１０の動きデータを測定する
【００８９】
　
視野移動部１６２０は、空間情報格納部１６５０に格納された３次元仮想空間情報、並びに傾きセンサ１３１４に検知される角度情報、および位置センサ１３０に検知される位置情報に基づく仮想カメラの視野方向の検知情報に基づいて視野情報を求め
【００９０】
　
また、視野移動部１６２０において、ヘッドマウント・ディスプレイ（ＨＭＤ）が、センサ１３１４／ポジション・トラッキング・カメラ（位置センサ）１３３０によって計測した操作者の頭部の動きを用い、仮想空間中の視野が移動するように制御するように構成することが望ましい
【００９１】
　
視野画像生成部１６３０は、その視野情報と、ウィジェット制御部１６４０から送られてくるウィジェット２０１の位置に基づいて視野画像を生成する
　ウィジェット制御部１６４０は、図１１，１２で示した制御の大半をつかさどる部分である。具体的には、
ウィジェット制御部１６４０は、ウィジェット選択部１６４１、入力部１６４２、ウィジェット移動部１６４３、ウィジェット移動速度再初期化部１６４４、ウィジェット視野外判定部１６４５、ウィジェット速度設定部１６４６を有し
ウィジェット選択部１６４１はウィジェット２０１とカーソル２０２が重なっているかを判断し、ウィジェット２０１とカーソル２０２が重なっていると判断されたときは、ウィジェット２０１を選択状態の表示に変化させる処理を行い、入力部１６４２はウィジェット２０１が一定時間以上選択状態となっているかを判断し、一定時間以上選択状態となっている場合には、選択されているウィジェット２０１に対応した操作を実行する
 
「【図１３】 
」
（２）引用発明
　前記（１）で摘記した引用文献１の【００８３】より、上記引用文献１には、
「オブジェクト操作装置」としての「制御回路部１３２０」を内部に搭載した「ヘッドマウント・ディスプレイ（ＨＭＤ）１３１０」が記載されているといえる。
　よって、引用文献１には、次の発明（以下、「引用発明」という。）が記載されていると認められる。
「　オブジェクト操作装置としての制御回路部１３２０を内部に搭載したヘッドマウント・ディスプレイ（ＨＭＤ）１３１０であって、
　注視点は、視野の中央に固定され、カーソル２０２も画面の中央に固定されつつ表示されていることを前提とし、
　システム１３００は、ヘッドマウント・ディスプレイ（ＨＭＤ）１３１０、制御回路部１３２０、ポジション・トラッキング・カメラ（位置センサ）１３３０、並びに外部コントローラ１３４０を備え、
　ヘッドマウント・ディスプレイ（ＨＭＤ）１３１０は、ディスプレイ１３１２およびセンサ１３１４を具備し、ディスプレイ１３１２は、ユーザの視野を完全に覆うよう構成された非透過型の表示装置であり、非透過型のヘッドマウント・ディスプレイ（ＨＭＤ）１３１０を装着したユーザは、外界の視野を全て失うため、制御回路部１３２０において実行されるアプリケーションにより表示される仮想空間に完全に没入する表示態様となり、
　ヘッドマウント・ディスプレイ（ＨＭＤ）１３１０が具備するセンサ１３１４は、ディスプレイ１３１２近辺に固定され、センサ１３１４は、地磁気センサ、加速度センサ、および／または傾き（角速度、ジャイロ）センサを含み、これらの１つ以上を通じて、ユーザの頭部に装着されたヘッドマウント・ディスプレイ（ＨＭＤ）１３１０（ディスプレイ１３１２）の各種動きを検知することができ、
　制御回路部１３２０は、主に、動き検知部１６１０、注視点移動部１６２１および視野画像生成部１６３０、並びにウィジェット制御部１６４０を含み、各種情報を処理し、
　動き検知部１６１０では、センサ１３１４／ポジション・トラッキング・カメラ（位置センサ）１３３０からの動き情報の入力に基づいて、ユーザの頭部に装着されたヘッドマウント・ディスプレイ（ＨＭＤ）１３１０の動きデータを測定し、
　視野移動部１６２０は、空間情報格納部１６５０に格納された３次元仮想空間情報、並びに傾きセンサ１３１４に検知される角度情報、および位置センサ１３０に検知される位置情報に基づく仮想カメラの視野方向の検知情報に基づいて視野情報を求め、
　また、視野移動部１６２０において、ヘッドマウント・ディスプレイ（ＨＭＤ）が、センサ１３１４／ポジション・トラッキング・カメラ（位置センサ）１３３０によって計測した操作者の頭部の動きを用い、仮想空間中の視野が移動するように制御するように構成することが望ましく、
　視野画像生成部１６３０は、その視野情報と、ウィジェット制御部１６４０から送られてくるウィジェット２０１の位置に基づいて視野画像を生成し、
　ウィジェット制御部１６４０は、ウィジェット選択部１６４１、入力部１６４２、ウィジェット移動部１６４３、ウィジェット移動速度再初期化部１６４４、ウィジェット視野外判定部１６４５、ウィジェット速度設定部１６４６を有し、
　ウィジェット選択部１６４１はウィジェット２０１とカーソル２０２が重なっているかを判断し、ウィジェット２０１とカーソル２０２が重なっていると判断されたときは、ウィジェット２０１を選択状態の表示に変化させる処理を行い、
　入力部１６４２はウィジェット２０１が一定時間以上選択状態となっているかを判断し、一定時間以上選択状態となっている場合には、選択されているウィジェット２０１に対応した操作を実行する、
　制御回路部１３２０。」
２　引用文献２について
　原査定の拒絶の理由に引用された上記引用文献２には、図面とともに次の事項が記載されている。
「【０００１】
　本発明は、
視線の位置を検出して文字などの情報を入力する視線入力装置
「【０００８】
　以下、本発明の実施の形態による視線入力装置の構成について、図面を参照しながら説明する。
　図１を参照すると、
視線入力装置１００は、ディスプレイ１と、ディスプレイ１が取り付けられた筐体２とを有し
【０００９】
　
筐体２には、ディスプレイ１の他に、視線検出用のカメラ３０及び操作部材４０が取り付けられ
　視線検出用カメラ３０は、筐体２の上側に配設されており、一覧表示部１０を見つめて入力動作を行う操作者の眼を撮影する。なお、視線検出用カメラ３０の配設位置は、筐体２の上側に限らず、筐体２の右側、左側又は下側でもよいし、視線検出用カメラ３０の台数は複数でもよい。」
「【００１１】
　図２のブロック図を参照しながら、各ブロックの機能を説明する。
視線入力装置１００は、
一覧表示部１０、入力情報表示部２０、視線検出用カメラ３０及び操作部材４０に加えて、記録部５０及び制御部６０を備え
【００１２】
　記録部５０は、不図示のＲＡＭに一時的に記憶された各種の情報を、例えばメモリカードに記憶させる。
　
制御部６０は、表示制御部６１、視線検出部６２、選択決定部６３、及び情報入力部６４を有し、
「【００２０】
　＜入力動作＞
　図３を参照して、視線入力動作に伴う一覧表示部１０の画面表示の変化を説明する。
視線入力装置１００が起動されると、表示制御部６１が
５０音の平仮名を一覧表示部１０に表示する
操作者が入力したい文字、例えば文字「つ」を連続して第１の所定時間、注視すると、視線検出用カメラ３０と視線検出部６２が操作者の視線の位置を検出し、一覧表示部１０上の視線の位置に対応する文字「つ」に関する文字情報を検出信号として出力する
選択決定部６３は、文字「つ」に関する検出信号が第１の所定時間、連続して継続すると、操作者の入力したい入力対象候補として文字「つ」を決定し、その決定情報を表示制御部６１へ出力する
【００２１】
　
表示制御部６１は、
文字「つ」と、その周囲に上下左右斜めに隣接する８文字「し」、「ち」、「に」、「す」、「ぬ」、「せ」、「て」、「ね」とを、それぞれ第１の倍率、即ち第１の大きさに拡大表示させると同時に、中央の拡大文字「つ」を
いわゆるハイライト表示する
【００２２】
…（中略）…
【００２３】
　図３（ｂ）において、
操作者が第１の大きさに拡大された文字「つ」を第２の所定時間、連続して注視すると、視線検出部６２は、視線検出用カメラ３０によって撮影された眼の画像を解析して操作者の視線位置が拡大文字「つ」の表示枠Ｒ内にあることを検出し、文字「つ」に関する検出信号を出力する
選択決定部６３は、この検出信号に基づき、文字「つ」を選択決定し、その決定情報を表示制御部６１へ出力する
【００２４】
　
表示制御部６１は、選択決定部６３の決定情報に基づき、
文字「つ」のみを第２の倍率に、即ち、第１の大きさよりも大きい第２の大きさに、更に拡大表示させ
【００２５】
…（中略）…
【００２６】
　図３（ｃ）において、
操作者が
第２の大きさの文字「つ」を第３の所定時間、連続して注視すると、視線検出部６２は、視線検出用カメラ３０によって撮影された眼の画像を解析して操作者の視線位置が第２の大きさの拡大文字「つ」の表示枠Ｒ内にあることを検出し、文字「つ」に関する検出信号を出力する
選択決定部６３は、この検出信号に基づき、文字「つ」を選択決定し、その決定情報を表示制御部６１と情報入力部６４とへ出力する
「【図３】
」   
  
　したがって、上記引用文献２には、以下の技術的事項が記載されていると認められる。
「　視線の位置を検出して文字などの情報を入力する視線入力装置であって、
　視線入力装置１００は、ディスプレイ１と、ディスプレイ１が取り付けられた筐体２とを有し、
　筐体２には、ディスプレイ１の他に、視線検出用のカメラ３０及び操作部材４０が取り付けられ、
　視線入力装置１００は、一覧表示部１０、入力情報表示部２０、視線検出用カメラ３０及び操作部材４０に加えて、記録部５０及び制御部６０を備え、
　制御部６０は、表示制御部６１、視線検出部６２、選択決定部６３、及び情報入力部６４を有し、
　視線入力装置１００が起動されると、表示制御部６１が、５０音の平仮名を一覧表示部１０に表示し、
　操作者が入力したい文字、例えば文字「つ」を連続して第１の所定時間、注視すると、視線検出用カメラ３０と視線検出部６２が操作者の視線の位置を検出し、一覧表示部１０上の視線の位置に対応する文字「つ」に関する文字情報を検出信号として出力し、
　選択決定部６３は、文字「つ」に関する検出信号が第１の所定時間、連続して継続すると、操作者の入力したい入力対象候補として文字「つ」を決定し、その決定情報を表示制御部６１へ出力し、
　表示制御部６１は、文字「つ」と、その周囲に上下左右斜めに隣接する８文字「し」、「ち」、「に」、「す」、「ぬ」、「せ」、「て」、「ね」とを、それぞれ第１の倍率、即ち第１の大きさに拡大表示させると同時に、中央の拡大文字「つ」をいわゆるハイライト表示し、
　操作者が第１の大きさに拡大された文字「つ」を第２の所定時間、連続して注視すると、視線検出部６２は、視線検出用カメラ３０によって撮影された眼の画像を解析して操作者の視線位置が拡大文字「つ」の表示枠Ｒ内にあることを検出し、文字「つ」に関する検出信号を出力し、
　選択決定部６３は、この検出信号に基づき、文字「つ」を選択決定し、その決定情報を表示制御部６１へ出力し、
　表示制御部６１は、選択決定部６３の決定情報に基づき、文字「つ」のみを第２の倍率に、即ち、第１の大きさよりも大きい第２の大きさに、更に拡大表示させ、
　操作者が第２の大きさの文字「つ」を第３の所定時間、連続して注視すると、視線検出部６２は、視線検出用カメラ３０によって撮影された眼の画像を解析して操作者の視線位置が第２の大きさの拡大文字「つ」の表示枠Ｒ内にあることを検出し、文字「つ」に関する検出信号を出力し、
　選択決定部６３は、この検出信号に基づき、文字「つ」を選択決定し、その決定情報を表示制御部６１と情報入力部６４とへ出力する、こと。」
３　引用文献３について
　原査定の拒絶の理由に引用された上記引用文献３には、図面とともに次の事項が記載されている。
「【０００６】
　本開示によれば、
表示画面におけるユーザの視線の位置に関する情報を含むユーザの目に関する情報に基づいて、オブジェクトの選択に関する所定の条件を満たすかを判定する判定部と、上記選択に関する所定の条件を満たすと判定された場合に、上記表示画面において上記ユーザの目に関する情報が示す視線の位置に表示されているオブジェクトを、選択された状態とする表示制御部と、を備える、情報処理装置
「【００５２】
　例えば、本実施形態に係る情報処理装置は、
ユーザの目に関する情報が示す視線の位置の変化に基づくユーザの目の動きの大きさに基づいて第１設定時間を動的に設定し、動的に設定された第１設定時間に基づいて、選択に関する所定の条件を満たすかを判定すること
　したがって、上記引用文献３には、以下の技術的事項が記載されていると認められる。
「　表示画面におけるユーザの視線の位置に関する情報を含むユーザの目に関する情報に基づいて、オブジェクトの選択に関する所定の条件を満たすかを判定する判定部と、上記選択に関する所定の条件を満たすと判定された場合に、上記表示画面において上記ユーザの目に関する情報が示す視線の位置に表示されているオブジェクトを、選択された状態とする表示制御部と、を備える、情報処理装置において、
　ユーザの目に関する情報が示す視線の位置の変化に基づくユーザの目の動きの大きさに基づいて第１設定時間を動的に設定し、動的に設定された第１設定時間に基づいて、選択に関する所定の条件を満たすかを判定すること。」
４　引用文献４について
　原査定の拒絶の理由に引用された上記引用文献４には、図面とともに次の事項が記載されている。
「[0001]　本発明は、
脳波を利用して機器を操作することが可能なインタフェース（脳波インタフェース）システム
「[0016]　本発明による脳波インタフェースシステムは、ユーザの脳波信号を利用して機器の動作を制御するために用いられるものであって、前記脳波インタフェースシステムは、前記ユーザの脳波信号を計測する脳波計測部と、前記ユーザの眼球運動を計測する眼球運動計測部と、機器の動作に関連する選択肢を画面上に提示する出力部と、前記眼球運動の回転角速度が予め保持した閾値以下の状態になった時点を起点として所定の時間が経過したか否かを判定し、所定の時間が経過したときには、前記ユーザが注視している前記画面中の領域を前記眼球運動に基づいて特定し、ハイライトさせる選択肢を決定するハイライト判定部と、前記ハイライト判定部によって決定された前記選択肢をハイライトさせ、前記選択肢がハイライトされたタイミングを起点として前記脳波信号に含まれる事象関連電位の成分を識別し、識別した前記成分に基づいて前記機器の動作を決定するインタフェース部と、
前記画面を表示するための処理が開始されてから前記画面が表示されるまでの間の前記眼球運動に基づいて、ハイライトの開始タイミングを調整するタイミング調整部
を備え
　したがって、上記引用文献４には、以下の技術的事項が記載されていると認められる。
「　脳波を利用して機器を操作することが可能なインタフェース（脳波インタフェース）システムにおいて、
　前記画面を表示するための処理が開始されてから前記画面が表示されるまでの間の前記眼球運動に基づいて、ハイライトの開始タイミングを調整するタイミング調整部を備えること。」
５　引用文献５について
　原査定の拒絶の理由に引用された上記引用文献５には、図面とともに次の事項が記載されている。
「【０００１】
　本発明は、
操作者の視線を用いて複数の車載機器を選択する車載機器操作装置
「【００１４】
　前記
視線の移動速度である視線速度が所定の速度閾値以下であると共に、前記視線上に前記車載機器のいずれかが存在する場合、
制御手段は、前記視線上に存在する前記車載機器を前記操作対象機器として選択し、前記視線速度が前記速度閾値を上回る場合、前記制御手段は、前記視線上に存在する前記車載機器を前記操作対象機器として選択しなくてもよい
　したがって、上記引用文献５には、以下の技術的事項が記載されていると認められる。
「　操作者の視線を用いて複数の車載機器を選択する車載機器操作装置において、
　視線の移動速度である視線速度が所定の速度閾値以下であると共に、前記視線上に前記車載機器のいずれかが存在する場合、制御手段は、前記視線上に存在する前記車載機器を前記操作対象機器として選択し、前記視線速度が前記速度閾値を上回る場合、前記制御手段は、前記視線上に存在する前記車載機器を前記操作対象機器として選択しなくてもよいこと。」
第５　対比・判断
１　本願発明１について
（１）対比
　本願発明１と引用発明とを対比する。
ア　引用発明の「システム１３００」は「ヘッドマウント・ディスプレイ（ＨＭＤ）１３１０」を備えるものであるから、「ヘッドマウントディスプレイシステム」といい得るものである。
　そうすると、「オブジェクト操作装置としての制御回路部１３２０を内部に搭載したヘッドマウント・ディスプレイ（ＨＭＤ）１３１０」は、「ヘッドマウントディスプレイシステム」の少なくとも一部として利用可能なものといえる。
　さらに、引用発明の「ヘッドマウント・ディスプレイ（ＨＭＤ）１３１０」は、「オブジェクト操作装置」としての「制御回路部１３２０」を内部に搭載していることから、「端末装置」といい得るものである。
　また、引用発明の「ヘッドマウント・ディスプレイ（ＨＭＤ）１３１０」は、「ディスプレイ１３１２」に「制御回路部１３２０において実行されるアプリケーションにより表示される仮想空間」を表示するものであり、具体的には、「制御回路部１３２０」が備える「視野移動部１６２０」が、「空間情報格納部１６５０に格納された３次元仮想空間情報」と、「傾きセンサ１３１４に検知される角度情報、および位置センサ１３０に検知される位置情報に基づく仮想カメラの視野方向の検知情報」とに基づいて、「視野情報」を求め、そのことにより「頭部の動き」を用いて「仮想空間中の視野」が移動するように制御し、「制御回路部１３２０」が備える「視野画像生成部１６３０」が、「視野情報」と「ウィジェット２０１の位置」に基づいて「視野画像」を生成するものである。ここで、「視野」とは、「仮想カメラ」から見た場合の「視界」であり、「仮想カメラ」は、「仮想空間」内にある「仮想視点」といい得るものである。
　また、引用発明は、「注視点は、視野の中央に固定され、カーソル２０２も画面の中央に固定されつつ表示されている」ことを前提とするものであるから、「頭部の動き」と仮想空間内の「仮想カメラ」（仮想視点）とは同一視でき、かつ、「頭部の動き」に応じて移動する「仮想空間内の仮想視点」からの「視野」を表す「視野画像」を「ディスプレイ１３１２」に表示するものといえる。
　そうすると、引用発明の「ヘッドマウント・ディスプレイ（ＨＭＤ）１３１０」と本願発明１の「
両眼視差を利用した立体視画像として、
イ　前記アより、引用発明において、「制御回路部１３２０」が備える「視野移動部１６２０」は、「仮想カメラの視野方向の検知情報」を検出するものであって、「仮想カメラの視野方向の検知情報」は、「ヘッドマウント・ディスプレイ（ＨＭＤ）１３１０」の方向に関する情報といい得るものである。
　よって、前記アを参酌すると、引用発明の「視野移動部１６２０」は、本願発明１の「前記端末装置の方向に関する情報を検出する検出部」に相当する。
ウ　引用発明は、「ウィジェット選択部１６４１はウィジェット２０１とカーソル２０２が重なっているかを判断し、
ウィジェット２０１とカーソル２０２が重なっていると判断されたときは、ウィジェット２０１を選択状態の表示に変化させる
　入力部１６４２はウィジェット２０１が一定時間以上選択状態となっているかを判断し、一定時間以上選択状態となっている場合には、選択されているウィジェット２０１に対応した操作を実行する」との構成を備えることから、「ウィジェット２０１」が表示される領域は、「カーソル２０２」が当該領域に一定時間重なるか否かに基づいてユーザからの選択の有無を判定する判定領域といい得るものである。
　そうすると、引用発明の「ウィジェット２０１」は、本願発明１の「ユーザからの選択の有無を判定する判定領域を有する選択オブジェクト」に相当する。
　また、引用発明は、「視野画像生成部１６３０は、その視野情報と、ウィジェット制御部１６４０から送られてくる
ウィジェット２０１の位置
　よって、引用発明は、本願発明１の「ユーザからの選択の有無を判定する判定領域を有する選択オブジェクトを、前記仮想空間内に配置するオブジェクト配置部」に相当する機能手段を備えている。
エ　引用発明の「ディスプレイ１３１２」は、本願発明１の「表示部」に相当する。
　また、前記イ及びウを参酌すれば、「視野画像生成部１６３０」は、「視野移動部１６２０」の結果（前記検出部の検出結果）に応じた処理を行うものといえる。
　さらに、引用発明は、「視野画像生成部１６３０は、その視野情報と、ウィジェット制御部１６４０から送られてくる
ウィジェット２０１の位置に基づいて視野画像を生成
　よって、引用発明の「視野画像生成部１６３０」は、本願発明１の「前記検出部の検出結果に応じて前記仮想空間内の前記仮想視点からの視界方向に配置されている前記選択オブジェクトを表示部に表示させる表示制御部」に相当する。
オ　本願発明１の「前記選択オブジェクトの
選択
判定時間
「【００３６】
　また、視線位置Ｐ１が判定領域に重なっている選択オブジェクト（ここでは、選択肢Ｃ）の近傍に、視線位置Ｐ１が判定領域に重なってからの経過時間を視認可能とするためのオブジェクトである経過時間ゲージＴ１が配置されて表示される。例えば、経過時間ゲージＴ１は、円形状のゲージであり、
視線位置Ｐ１が判定領域に重なってから時間の経過と共に円状にバーが増加していき、所定時間以上経過するとこの円状に増加するバーが一周分に伸びる
上記の所定時間とは、選択オブジェクトの選択の有無を決定するための閾値として予め設定された判定時間であり、視線位置Ｐ１が判定領域に重なってからの経過時間が所定時間以上となった場合に、その判定領域の選択オブジェクトが選択されたとして決定される
【００３７】
　一方、
経過時間ゲージＴ１の円状に増加するバーが一周分になると、視線位置Ｐ１が判定領域に重なっている選択オブジェクト（ここでは、選択肢Ｃ）の選択が確定する
　図８は、選択オブジェクトの選択が確定したときの選択メニュー画面の一例を示す図である。図示する選択メニュー画面Ｇ１３において、
経過時間ゲージＴ１の円状に増加するバーが一周分に伸び、視線位置Ｐ１が判定領域に重なっている選択オブジェクト（ここでは、選択肢Ｃ）が選択されたことが確定される
　上記の記載からすると、本願発明１の「判定時間」は、「選択オブジェクト」の「選択」が「確定」する時間であって、そうすると、「選択オブジェクトの
選択
　一方、引用発明は、「ウィジェット選択部１６４１はウィジェット２０１とカーソル２０２が重なっているかを判断し、ウィジェット２０１とカーソル２０２が重なっていると判断されたときは、ウィジェット２０１を選択状態の表示に変化させる処理を行い、
　入力部１６４２はウィジェット２０１が一定時間以上選択状態となっているかを判断し、一定時間以上選択状態となっている場合には、選択されているウィジェット２０１に対応した操作を実行する」との構成を備えることから、「ウィジェット２０１」と「カーソル２０２」が重なると「選択状態」となり、それから「一定時間」経過すると「選択されているウィジェット２０１に対応した操作を実行する」のであるから、「一定時間」経過した後の状態は、「選択状態」が確定した状態といえる。また、「一定時間」が予め設定されたものであることは自明である。
　よって、引用発明において、「一定時間」が予め設定されていることは、本願発明１の「前記選択オブジェクトの選択の有無を決定するための閾値としての判定時間が予め設定されており」との構成に相当する。
カ　引用発明は、「注視点は、視野の中央に固定され、カーソル２０２も画面の中央に固定されつつ表示されていること」を前提とするものであるから、「カーソル２０２」は「注視点」と同一視できるものである。また、「注視点」は、ユーザが見ている点（位置）であるから、本願発明１の「視線方向に対応する視線位置」に相当し、また、前記の前提からすれば、引用発明の「カーソル２０２」も、本願発明１の「視線方向に対応する視線位置」に相当する。
　また、引用発明の「ウィジェット選択部１６４１」が実行する「ウィジェット２０１とカーソル２０２が重なっているかを判断し、ウィジェット２０１とカーソル２０２が重なっていると判断されたときは、ウィジェット２０１を選択状態の表示に変化させる処理」において、引用発明の「ウィジェット２０１とカーソル２０２が重なっていると判断されたとき」は、本願発明１の「前記仮想視点からの視線方向に対応する視線位置と前記選択オブジェクトの判定領域とが前記視線方向において重ならない位置関係から重なる位置関係になったとき」に相当し、「ウィジェット２０１を選択状態の表示に変化させる」ことは、本願発明１の「前記選択オブジェクトの判定領域を変更」することに相当する。
　以上より、引用発明において、「ウィジェット選択部１６４１」が、「ウィジェット２０１とカーソル２０２が重なっているかを判断し、ウィジェット２０１とカーソル２０２が重なっていると判断されたときは、ウィジェット２０１を選択状態の表示に変化させる処理」を実行することと、本願発明１の「前記オブジェクト配置部」が、「前記仮想視点からの視線方向に対応する視線位置と前記選択オブジェクトの判定領域とが前記視線方向において重ならない位置関係から重なる位置関係になったときの前記視線位置の移動速度が所定値以上の場合には、当該位置関係になってから前記判定時間未満の所定の時間経過した後に前記選択オブジェクトの判定領域を変更し、前記視線位置の移動速度が前記所定値未満の場合には、当該位置関係になってから前記所定の時間が経過しなくとも前記選択オブジェクトの判定領域を変更する」することとは、「前記仮想視点からの視線方向に対応する視線位置と前記選択オブジェクトの判定領域とが前記視線方向において重ならない位置関係から重なる位置関係になったときに前記選択オブジェクトの判定領域を変更」する点において共通する。
（２）一致点、相違点
　前記（１）より、本願発明１と引用発明との間には、次の一致点、相違点があるといえる。
［一致点］
「　仮想空間内の仮想視点からの視界を表す視界画像を表示可能なヘッドマウントディスプレイシステムの少なくとも一部として利用可能な端末装置であって、
　前記端末装置の方向に関する情報を検出する検出部と、
　ユーザからの選択の有無を判定する判定領域を有する選択オブジェクトを、前記仮想空間内に配置するオブジェクト配置部と、
　前記検出部の検出結果に応じて前記仮想空間内の前記仮想視点からの視界方向に配置されている前記選択オブジェクトを表示部に表示させる表示制御部と、
　を備え、
　前記選択オブジェクトの選択の有無を決定するための閾値としての判定時間が予め設定されており、
　前記仮想視点からの視線方向に対応する視線位置と前記選択オブジェクトの判定領域とが前記視線方向において重ならない位置関係から重なる位置関係になったときに前記選択オブジェクトの判定領域を変更する、
　端末装置。」
［相違点］
＜相違点１＞
　表示される「視界画像」が、本願発明１は、「両眼視差を利用した立体視画像」として表示されるものであるのに対し、引用発明の「視野画像」は「両眼視差を利用した立体視画像」として表示されることを具体的に特定していない点。
＜相違点２＞
　本願発明１は、「前記仮想視点からの視線方向に対応する視線位置と前記選択オブジェクトの判定領域とが前記視線方向において重ならない位置関係から重なる位置関係になったときの前記視線位置の移動速度が所定値以上の場合には、当該位置関係になってから前記判定時間未満の所定の時間経過した後に前記選択オブジェクトの判定領域を変更し、前記視線位置の移動速度が前記所定値未満の場合には、当該位置関係になってから前記所定の時間が経過しなくとも前記選択オブジェクトの判定領域を変更する」との構成を備えるのに対し、引用発明は、「ウィジェット２０１」と「カーソル２０２」とが重なるときの「カーソル２０２」の移動速度に基づいて「ウィジェット２０１を選択状態の表示に変化させる」までの時間を制御するものではない点。
＜相違点３＞
　選択オブジェクトの判定領域を変更する手段が、本願発明１は、「前記オブジェクト配置部」であるのに対し、引用発明は、「ウィジェット選択部１６４１」である点。
（３）相違点についての判断
　事案に鑑みて、上記相違点２について先に検討する。
　上記引用文献２記載事項ないし引用文献５記載事項からして、引用文献２ないし５は、上記相違点２に係る本願発明１の構成、すなわち、「前記仮想視点からの視線方向に対応する視線位置と前記選択オブジェクトの判定領域とが前記視線方向において重ならない位置関係から重なる位置関係になったときの前記視線位置の移動速度が所定値以上の場合には、当該位置関係になってから前記判定時間未満の所定の時間経過した後に前記選択オブジェクトの判定領域を変更し、前記視線位置の移動速度が前記所定値未満の場合には、当該位置関係になってから前記所定の時間が経過しなくとも前記選択オブジェクトの判定領域を変更する」という構成に対応する技術的事項を開示するものではない。
　なお、引用文献２記載事項より、引用文献２には、上記構成のうち、「前記仮想視点からの視線方向に対応する視線位置と前記選択オブジェクトの判定領域とが前記視線方向において重ならない位置関係から重なる位置関係」になってから「前記判定時間未満の所定の時間経過した後」に「選択オブジェクトの判定領域を変更する」ことに対応する技術的事項が記載されているといえるが、「前記視線方向において重ならない位置関係から重なる位置関係になったときの前記視線位置の移動速度」に基づいて、「所定の時間」の要否を制御することまでは記載されていない。
　また、引用文献３記載事項は、「視線の位置の変化に基づくユーザの目の動きの大きさ」に基づいて「オブジェクト」を「選択された状態」とするまでの時間である「第１設定時間」を動的に設定することを開示するものであって、上記相違点２に係る本願発明２の構成を開示するものではない。
　また、引用文献４記載事項は、「前記画面を表示するための処理が開始されてから
前記画面が表示されるまでの間の
　また、引用文献５記載事項は、「視線速度」に基づいて「前記視線上に存在する前記車載機器を前記操作対象機器として選択」する技術に関するものであって、表示されるオブジェクトの判定領域の変更に関するものではない。
　したがって、上記相違点１及び３について判断するまでもなく、本願発明１は、当業者であっても、引用発明及び引用文献２ないし５に記載された技術的事項に基づいて容易に発明をすることができたものとはいえない。
２　本願発明２及び３について
　本願発明２及び３も、上記相違点２に係る本願発明１の構成を備えるものであるから、本願発明１と同じ理由により、当業者であっても、引用発明及び引用文献２ないし５に記載された技術的事項に基づいて容易に発明をすることができたものとはいえない。
３　本願発明４について
　本願発明４は、本願発明１ないし３に対応するプログラムの発明であり、上記相違点２に係る本願発明１の構成に対応する技術的事項を備えるものであるから、本願発明１と同様の理由により、当業者であっても、引用発明及び引用文献２ないし５に記載された技術的事項に基づいて容易に発明をすることができたものとはいえない。
第６　むすび
　以上のとおり、本願発明１ないし４は、当業者が引用発明及び引用文献２ないし５に記載された技術的事項に基づいて容易に発明をすることができたものではない。
　したがって、原査定の理由によっては、本願を拒絶することはできない。
　また、他に本願を拒絶すべき理由を発見しない。